(57)【要約】      （修正有）【課題】乗客用の椅子のレッグレストのあるなしを迅速かつ低コストに切り換える。【解決手段】座席は、座面と、箱部分（３３）を有するケース（３０）とを備えている。ケース（３０）は、座面構造体に不動に固定されるか、１つまたは複数の関節連結アーム（３１５）を介して座面構造体に対して可動式に固定されることができ、ケースは、固定具箇所の集合を有し、１つは第１の副集合であり、第１の副集合内の各固定具箇所は、座面構造体に定められた装着点と対向する位置にあり、もう１つは第２の副集合であり、第２の副集合の固定具箇所はすべて第１の副集合の固定具箇所とはすべて異なり、第２の副集合内の各固定具箇所は、座席に関節連結アームが備わっているとき、関節連結アーム（３１５）にある装着点と対向する位置にある。さらに、ケース（３０）を座面構造体に固定すると同時に少なくとも１つの関節連結アーム（３１５）に固定する工程を含む。【選択図】図２ｂ
2018196721.tif 000002
【特許請求の範囲】
【請求項１】
座面であって、前記座面の構造体に固定された座面クッションの支持面を有する、座面（２０）と、ケースであって、座面クッションの前記支持面の下に設置された箱部分（３３）を有する、ケース（３０）とを備える、座席であって、
前記ケース（３０）は、前記座面構造体に不動に固定されるか、前記座面構造体に対して横方向Ｙに沿った向きの回動軸周りに、前記座面構造体に対して可動式に、１つまたは複数の関節連結アーム（３１５）を介して固定されることができることと、
前記ケース（３０）は、固定具箇所の集合を有し、前記集合は、
−複数の固定具箇所からなる第１の副集合であって、前記第１の副集合内の各固定具箇所は、前記ケース（３０）の収納位置では、前記座面構造体に定められた固定点と対向する位置にある、第１の副集合と、
−全箇所が前記第１の副集合の固定具箇所とは異なる複数の固定具箇所からなる第２の副集合であって、前記座席に前記関節連結アームが備わっている場合に、前記第２の副集合内の各固定具箇所は、前記ケース（３０）の収納位置では、関節連結アーム（３１５）にある前記座面構造体に対する装着点と対向する位置にある、第２の副集合と
を含む
こととを特徴とする、座席。
【請求項２】
前記座席が使用状態にあるとき、前記ケース（３０）は、前記第２の副集合の固定具箇所を除く前記第１の副集合の固定具箇所に設置された１つまたは複数の固定具によって前記座面構造体に固定される、請求項１に記載の座席。
【請求項３】
前記座面クッションの支持面の全部または一部を形成している受動型前方プレート（２２ａ）は、前記座面の前方縁側の前記座面構造体に固定される、請求項２に記載の座席。
【請求項４】
１つまたは複数の関節連結アーム（３１５）を備え、前記座席が使用状態にあるとき、前記ケース（３０）は、前記第１の副集合の固定具箇所を除く前記第２の副集合の固定具箇所に設置された固定具によって前記関節連結アームに固定される、請求項１に記載の座席。
【請求項５】
前記座面クッションの支持面の全部または一部を形成している支持プレート（３１１）を備えている能動型前方プレート（２２ｂ）は、前記座面の前方縁側の前記座面構造体に固定され、前記支持プレートには、前記関節連結アーム（３１５）およびアクチュエータ（３１）が固定され、前記関節連結アームに固定された前記ケース（３０）の位置を変化させるように配置される、請求項４に記載の座席。
【請求項６】
前記ケース（３０）の前記箱部分（３３）は、前記ケースの前面に固定されたレッグレスト（４０）によって閉鎖され、前記レッグレストの前記座面（２０）に対する位置は、前記ケースの位置を前記アクチュエータ（３１）によって変化させることによって決まる、請求項４または請求項５に記載の座席。
【請求項７】
レッグレストがなく、受動型前方プレート（２２ａ）を備えている、請求項３に記載の座席。
【請求項８】
レッグレストおよび能動型前方プレート（２２ｂ）を備えている、請求項５に記載の座席。
【請求項９】
前記座面構造体は、請求項３もしくは請求項７に記載の座席の前記受動型前方プレートに相当する受動型前方プレート（２２ａ）、または請求項５もしくは請求項８に記載の能動型前方プレートに相当する能動型前方プレート（２２ｂ）のいずれか一方を取り付けるための固定穴を有する、座席。
【請求項１０】
前記座面構造体の同じ固定穴は、前記受動型前方プレート（２２ａ）と前記能動型前方プレート（２２ｂ）のいずれかを取り外し可能な固定具を介して前記座面構造体に固定するために使用され、前記受動型前方プレートおよび前記能動型前方プレートは、機械的に入れ替え可能である、請求項９に記載の座席。
【請求項１１】
前記座面クッションの支持面の一部を形成している少なくとも１つの後方プレート（２１）を備え、前記プレートは、状況に応じて前記受動型前方プレート（２２ａ）または前記能動型前方プレート（２２ｂ）から独立して前記座面構造体に固定される、請求項９または請求項１０に記載の座席。
【請求項１２】
請求項１〜１１のいずれか一項に記載の座席の切り換え方法であって、レッグレストのない座席をレッグレストのある座席に切り換える、またはこの逆に、レッグレストのある座席をレッグレストのない座席に切り換え、前記切り換え方法は、前記ケース（３０）が前記座面構造体に固定されると同時に、前記座面構造体を対象として少なくとも１つの関節連結アーム（３１５）に固定される工程を含む、切り換え方法。
【請求項１３】
−前記座面構造体に固定されている受動型前方プレート（２２ａ）を取り外す工程と、その後、
−前記レッグレストのアクチュエータ（３１）および１つまたは複数の関節連結アーム（３１５）を装備している能動型前方プレート（２２ｂ）を、前工程で取り外した前記受動型前方プレート（２２ａ）によって空いた場所で前記座面構造体に固定する工程と、その後、
−前記関節連結アーム（３１５）を、前記座面構造体に固定されて保持されている前記ケース（３０）に固定する工程と、その後、
−前記ケース（３０）を前記座面構造体に固定している固定具を外す工程と
を含む、レッグレストなしの座席からレッグレスト付きの座席へ切り換える請求項１０に記載の切り換え方法。
【請求項１４】
−前記レッグレスト（４０）を収納位置に設置する工程と、その後、
−前記ケース（３０）を前記座面構造体に固定する工程と、その後、
−前記関節連結アーム（３１５）を前記ケース（３０）から分離させる工程と、その後、
−前記レッグレストのアクチュエータ（３１）および前記関節連結アーム（３１５）を支持している能動型前方プレート（２２ｂ）を取り外す工程と、その後、
−前工程で取り外した前記能動型前方プレート（２２ｂ）によって空いた場所で前記受動型前方プレート（２２ａ）を前記座面構造体に固定する工程と
を含む、レッグレスト付きの座席からレッグレストなしの座席へ切り換える請求項１０に記載の切り換え方法。
【発明の詳細な説明】
【技術分野】
【０００１】
本発明は、車両、さらに詳細には航空機の乗客スペースの設備に使用される椅子などの休息用座席の分野に属する。
【０００２】
本発明は、特に、座席が休息位置にあるときの快適性を向上させるために、座席の着席者の脚を支えるのに使用するレッグレストを備えている座席に関する。
【０００３】
さらに詳細には、本発明では、座席構造体の構成は、座席にレッグレストを設置するのを任意選択でできるように適応している。
【背景技術】
【０００４】
乗客輸送、特に航空機の分野では、乗客に提供される座席は、商業上の影響力が強い設備である。
【０００５】
そのため、航空機を運航する航空会社は、乗客に提供する快適性を追求しているが、設備購入時とそのメンテナンスにかかる設備のコストも依然として重視している。
【０００６】
レッグレストは、着座位置よりもリラックスできる姿勢の選択肢を乗客にもたらす、乗客の快適性に関わる座席要素の一部である。
【０００７】
実際、レッグレストは、座席構造体につながっており、座席の座面に対して様々な位置にできるように可動式である。
【０００８】
たいていは、レッグレストの位置は、レッグレストが使用されない収納位置と、座席使用者の快適性のためにレッグレストが座面の長さを前方に延長してある程度顕著な角度を座面と形成する少なくとも１つの持ち上げ位置との間で調整できる。
【０００９】
公知の一実施形態では、レッグレストは、主にプレートで構成され、このプレートは、所望のレッグレストの寸法に適応し、クッションで覆われ、座面を支持する座席構造体に関節連結式に固定されている。たいていは電動であるアクチュエータが座席構造体に載っていることで、座席の着席者がレッグレストの位置を、または座席の他の要素、特に座面および背もたれの位置に応じて、力なしで変更することが可能である。
【００１０】
このような構成では、レッグレストの構造体と座面の構造体とは完全に独立しており、レッグレストのない座席なのかレッグレストを有する座席なのかによって座席の技術規定に重大な影響を及ぼす。
【００１１】
座席は、少なくとも航空機用の座席の場合、たいていは座席の座面の下に設置されている救命胴衣を備えており、救命胴衣の設置と、レッグレストおよびその作動機構の設置とが相反するだけに、レッグレストの有無が及ぼす影響は著しい。
【００１２】
このような事情から、航空機の運航会社が運航時の座席の規格を修正したいとき、例えば座席を配置し直すときまたはキャビンの快適性の基準を変更するときに、レッグレストなしの座席をレッグレスト付きの座席に変え、この逆に変えるために特定の座席を改造することは厄介であり、あるいは実際には不可能であることは明らかである。
【発明の概要】
【発明が解決しようとする課題】
【００１３】
本発明は、レッグレストを取り付けるか取り付けないかによって、または設置したレッグレストを取り外すことによって、座席の快適性を迅速かつ低コストに切り換えるための解決策をもたらすものである。
【課題を解決するための手段】
【００１４】
座席は、座面であって、この座面構造体に固定された座面のクッションの支持面を有する座面と、ケースであって、座面のクッションの支持面の下に設置された箱部分を有するケースとを備えている。
【００１５】
本発明によれば、ケースは、座面構造体に不動に固定されてもよいし、座面構造体に対して横方向Ｙに沿った向きの回動軸周りに、座面構造体に対して可動式に、１つまたは複数の関節連結アームを介して固定されてもよい。
【００１６】
さらに、ケースは、固定具箇所の集合を有し、この集合は、
−複数の固定具箇所からなる第１の副集合であって、第１の副集合内の各固定具箇所は、ケースの収納位置では、座面構造体に定められた固定点と対向する位置にある、第１の副集合と、
−全箇所が第１の副集合の固定具箇所とは異なる複数の固定具箇所からなる第２の副集合であって、座席にこのケースを支持する１つまたは複数の関節連結アームが備わっている場合に、第２の副集合内の各固定具箇所は、ケースの収納位置では、関節連結アームにある座面構造体に対する装着点と対向する位置にある、第２の副集合と
を含む。
【００１７】
したがって、ケースは、座席でケースに与えられた機能、すなわち単なる固定式の箱部分なのか、収納容積である上に可動式支持体なのかという機能に従って、固定式に、または座面構造体に対して関節連結式に取り付けることができるとともに、関節連結アームの可動部品に固定する可能性を有すると同時に、座席を２つの形態の間で切り換えるために座面構造体に接続している。
【００１８】
座席が使用状態にあるとき、有利には、ケースは、第２の副集合の固定具箇所を除く第１の副集合の固定具箇所に設置された１つまたは複数の固定具によって座面構造体に固定される。
【００１９】
このようにして、関節連結アームを使用するときの取り付けの邪魔になるのを回避する。
【００２０】
この場合、有利には、座面クッションの支持面の全部または一部を形成している受動型前方プレートは、座面の前方縁側の座面構造体に固定されるため、このような受動型前方プレートは、ケースから独立して座面構造体に固定され、ケースも座面構造体に固定される。
【００２１】
座席が１つまたは複数の関節連結アームを備えていて、座席が使用状態にあるとき、ケースは、第１の副集合の固定具箇所を除く第２の副集合の固定具箇所に設置された固定具によって関節連結アームに固定される。
【００２２】
この場合、このようにしてケースを座面構造体に直接固定して取り付ける場合の邪魔になるのを回避する。
【００２３】
この場合、有利には、座面クッションの支持面の全部または一部を形成している支持プレートを備えている能動型前方プレートは、座面の前方縁側の座面構造体に固定され、支持プレートには、関節連結アームが関節連結され、アクチュエータが固定され、関節連結アームに固定されたケースの位置を変化させるように配置される。
【００２４】
このように、ケースを動かす能動型で可動式の部分全体は、取り付けおよび取り外しが簡単にできる座席のただ一つの構成要素である能動型前方プレートにまとめられる。
【００２５】
このようにしてケースが座席の前方に可動式に取り付けられたとき、有利には、ケースの箱部分は、このケースの前面に固定されたレッグレストによって閉鎖され、このレッグレストの座面に対する位置は、このケースの位置をアクチュエータによって変化させることによって決まる。
【００２６】
このように、支持構造体の一部がケースで形成されるレッグレストを実現し、ケースはレッグレストの機能から独立して使用され、レッグレストを外すことで箱部分にはアクセスできる状態にあり、あるいは逆に、蓋になるレッグレストによって箱部分の中身を保護する。
【００２７】
レッグレストを使用するかしないかによって、座席にレッグレストがないときは受動型前方プレートを備えることが好ましく、座席にレッグレストがあるときは能動型前方プレートを備える。
【００２８】
単純にレッグレストの有無に合わせるため、座面構造体は、受動型前方プレートまたは能動型前方プレートのいずれか一方を取り付けるための固定穴を有する。
【００２９】
さらに一層有利には、座面構造体の固定点の数を制限するため、座面構造体の同じ固定穴は、受動型前方プレートと能動型前方プレートのいずれかを取り外し可能な固定具を介して座面構造体に固定するために使用され、受動型前方プレートおよび能動型前方プレートは、機械的に入れ替え可能である。
【００３０】
一実施形態では、座席は、座面クッションの支持面の一部を形成している少なくとも１つの後方プレートを備え、このプレートは、状況に応じて受動型前方プレートまたは能動型前方プレートから独立して座面構造体に固定される。
【００３１】
このように、受動型前方プレートおよび能動型前方プレートの寸法を限定し、能動型前方プレートによって確定される支持機能は、座面クッションの支持面全体に使用するプレートが切り換えのために入れ替え可能であることを必要とせず、座席を切り換えるために前方プレートを取り外したときの座面構造体の安定性は保証される。
【００３２】
本発明は、請求項１〜１１のいずれか一項に記載の座席の切り換え方法であって、レッグレストのない座席をレッグレストのある座席に切り換える、またはこの逆に、レッグレストのある座席をレッグレストのない座席に切り換え、前記切り換え方法は、ケースが座面構造体に固定されると同時に、座面構造体を対象として少なくとも１つの関節連結アームに固定される工程を含む、切り換え方法に関する。
【００３３】
切り換え時にこのような工程を含めることで、ケースが座席から外れることを回避し、切り換え時に様々な要素を正しく配置する。
【００３４】
レッグレストなしの座席からレッグレスト付きの座席への切り替えは、
−座面構造体に固定されている受動型前方プレートを取り外す工程と、その後、
−レッグレストのアクチュエータおよび１つまたは複数の関節連結アームを装備している能動型前方プレートを、前工程で取り外した受動型前方プレートによって空いた場所で座面構造体に固定する工程と、その後、
−関節連結アームを、座面構造体に直接固定されて保持されているケースに固定する工程と、その後、
−座面構造体に直接固定されているケースを保持する固定具を外す工程と
を含む。
【００３５】
レッグレスト付きの座席からレッグレストなしの座席への切り換えは、
−レッグレストを収納位置に設置する工程と、その後、
−ケースを座面構造体に直接固定する工程と、その後、
−関節連結アームをケースから分離させる工程と、その後、
−レッグレストのアクチュエータおよび関節連結アームを支持している能動型前方プレートを取り外す工程と、その後、
−前工程で取り外した能動型前方プレートによって空いた場所で受動型前方プレートを座面構造体に固定する工程と
を含む。
【００３６】
このように、座席の切り換えは、限られた数の作業で実現され、作業過程で座席構造体の全体性および安定性を元に戻すような時はまったくない。
【００３７】
本発明の一実施形態の非限定的な一例として挙げ、概略的に示した図面を参照して本発明を説明する。
【図面の簡単な説明】
【００３８】
【図１ａ】本発明による座席構造体の部分等角図であり、座席の外装およびクッションがなく、レッグレストなしの座席構成である座席を前方から見た図であり、囲み円（ａ）には外装を付けた構造体を示している。
【図１ｂ】図１ａの座席構造体の部分等角図であり、レッグレスト付きの座席構成の図である。
【図２ａ】図１ａのレッグレストなしの構成である座席の座面構造体の一部を分解した等角図である。
【図２ｂ】図１ｂのレッグレスト付きの構成である座席の座面構造体の一部を分解した等角図である。
【図３ａ】図１ａの座席の座面の受動型前方プレートを座席から切り離した等角図である。
【図３ｂ】図１ｂの座席の座面の能動型前方プレートを座席から切り離し、レッグレストの位置を変更するアクチュエータを備え付けた等角図である。
【図４ａ】図１ａの構成である座席の座面の下に位置している救命胴衣ケースの斜視図であり、座席構造体に直接固定され、閉鎖パネルを取り除いて空であるのが示されているケース内部が見えるようにした図である。
【図４ｂ】図４ａのレッグレストなしの構成に従って座面および座面の構造支持体を有する座席の一部を長手垂直平面で切断した断面図である。
【図５ａ】図１ｂの座席のレッグレストが部分的に持ち上がった位置にあり、レッグレストの表面を形成するクッションで覆われたパネルがケース上の定位置にあってケースを閉鎖している斜視図である。
【図５ｂ】図５ａのレッグレスト付きの構造に従って座面および座面支持構造体を有し、レッグレストが収納位置にある座席の一部の長手垂直平面の断面図である。
【図５ｃ】図５ａのレッグレスト付きの構造に従って座面および座面支持構造体を有し、レッグレストが部分的に持ち上がった位置にある座席の一部の長手垂直平面の断面図である。
【発明を実施するための形態】
【００３９】
図面は様々な図にわたって必ずしも同じ縮尺で示してはいない。
【００４０】
図１ａおよび図１ｂは、本発明による座席構造体１００の一例を２つの構成に従って示し、図１ａはレッグレストなしの構成、図１ｂはレッグレスト付きの構成である。
【００４１】
説明の必要上、座席に関して通常の軸系統を使用し、座席前方へ正の方向に向かう水平な水平軸Ｘ、上へ正の方向に向かう垂直軸Ｚ、および水平方向と垂直方向で画成された平面に直交し、座席の左へ正の方向に向かう横軸Ｙを使用する。
【００４２】
前方、後方、上、下という用語、および同等の用語または表現は、座席使用者がその座席の着座位置にいる状態から見た位置または方向を基準としたものである。したがって、座席の前方は、座席に座っている着席者が頭を回さずに見る方向に相当し、その人が着席した車両の移動方向に対して座席が取り得る向きとは無関係である。
【００４３】
座席は、座面２０および背もたれ１０を有し、図１ａおよび図１ｂにはその構造部分のみが示されている。座席は、ここでは簡易化され、本発明の説明にも理解にも必要のない付属品、例えば本発明の座席にあることもあればないこともある肘掛けまたは背もたれの調節システムは省略されている。
【００４４】
構造体１００は、想定されるあらゆる座席の使用状態で着席者の体重を支えるための耐性および剛性を座席にもたらし、この構造により、座席を支えるはずである別の構造、例えば車両の床９０に応力を伝達できる。
【００４５】
本明細書では、レッグレストの事例を除いて、座面２０と背もたれ１０、または座席のその他の可動部分の相対的な動きについても、起こりうるそのような動きおよびそれに対するロックを実現するために使用する装置についても詳述しない。
【００４６】
図１ａは、本発明による座席構造体１００を示し、座席がレッグレストを有していない場合のものである。
【００４７】
座面構造体２０は、座面の後方プレート２１および座面の受動型前方プレート２２ａを支持する２つの横架材２３を主に有する。
【００４８】
受動型前方プレート２２ａは、座面の前方縁に位置している。座席の使用時には、両プレートは、図１ａの囲み円（ａ）に示したように座面のクッションに覆われ、座席使用者からは見えない。
【００４９】
座面構造体は、ケース３０が固定されている支持体２４１、２４２も有し、このケースは、航空機の座席の応用例では救命胴衣を収容するためのものである。
【００５０】
ケース３０は、前板３２と、単一部品を形成している箱部分３３とを有する。
【００５１】
前板３２は、複数の固定具用箇所からなる第１の副集合を有し、固定具用箇所はここでは孔３２１であり、固定具はここでは固定ビス３２２であり、固定具は、後方プレート２１の上面と受動型前方プレート２２ａの上面とで確定された座面クッションの支持面の下で、箱部分３３が座面構造体に対して固定状態を維持するように、ケースを支持体２４１、２４２の装着点に固定する。
【００５２】
図１ａには救命胴衣は示されていない。
【００５３】
前板３２は、前面に、図１ａおよび図１ｂには図示していない箱部分３３の閉鎖パネルを保持するために自己把持する布テープ３２３を有し、このテープは、座席の使用者が箱部分に設置されている救命胴衣を取り出す必要があるときに、この使用者が剥がすことができるものである。
【００５４】
上記の説明で理解したように、ケース３０は、座席構造体１００に、さらに詳細には支持体２４１、２４２を介して座面構造体２０に固定保持される。
【００５５】
図２ａにも示したように、孔３２１を貫通し、支持体２４１、２４２と一体化したリベットナット２４３と係合するビス３２２で保持されたケース３０は、容易に取り外したり取り付けたりしてレッグレストのないこの座席構成にすることができる。
【００５６】
リベットナット２４３は、有利には、振動の影響で不本意に外れないような自己ロックナットである。
【００５７】
図示していない閉鎖パネルは、定位置にあるとき、箱部分３３に配置されている救命胴衣を保護し、外装パネルの機能を確保しつつ座面の前方縁の下の座席部分を確実に仕上げる。
【００５８】
ケース３０は、図３ａに切り離した状態で示している受動型前方プレート２２ａから独立して座面構造体２０に固定され、受動型前方プレートも同じく解体可能なように座面構造体に固定されていることがわかる。ここで理解すべきことは、ケースおよび受動型前方プレートは、それぞれが互いに独立して座面構造体から取り外され取り付けられることができるということである。
【００５９】
図２ａに示したように、前方プレートは、使用時に座面にかかる応力を回復するようにビスによって横架材２３に固定されている。
【００６０】
ここでも同じく、受動型前方プレート２２ａは、後方プレート２１から独立して座面構造体に固定されることがわかる。そのため、後方プレートを取り外すことなくこの受動型前方プレートを取り外し取り付けることが可能であり、これによって取り付けおよび再取り付けの作業が簡易になるほか、受動型前方プレートを取り外したときに座面構造体の安定が失われるのを回避し、それによって、再取り付けする際に構造体の様々な要素を正確に配置するための特別な工具を使用することを回避する。
【００６１】
図３ａに示したように、受動型前方プレート２２ａは、レッグレストなしの座席に使用する場合は特に単純で、この場合は座面の基準平面から後方プレート２１の前方への連続性を実現する単なる平面プレートに似ている。
【００６２】
次に図１ｂおよび図２ｂを考察すると、座席は、調節可能なレッグレストを有する。
【００６３】
図１ｂの座席構造体１００は、同じ主要構成要素、特に背もたれ１０および座面２０を有し、図１ａのレッグレストなしの座席と同じ構成である。実際にレッグレスト付きの座席構造体は、座席に選択項目がある場合以外で、以下に詳述するレッグレストに特有の部分を除いて、レッグレストなしの座席構造体と同じである。
【００６４】
図１ｂの座席は、レッグレスト４０を有し、レッグレストが部分的に持ち上げられた位置にある図が図５ａの斜視図に示されている。
【００６５】
公知のように、レッグレストは調節可能で、様々な位置を取ることができ、そのうちの少なくとも１つは、レッグレストを使用していない時の収納位置であり、少なくとも１つは、実際には複数あるが、持ち上げ位置である。
【００６６】
収納位置では、レッグレストは、座席の着席者が脚を邪魔されずに着座位置にいられる位置にある。図１ｂの座席の場合、レッグレストが持ち上げ位置にあるときに座席の着席者が脚を載せる、図５ａに見えているレッグレストの載置面４１は、図５ｂに示したように、座面の基準面の前方部分の下でほぼ垂直である。
【００６７】
持ち上げ位置では、載置面４１は、図５ｃの断面図に示したように、座面の前方に突出し、ある程度水平平面に近い位置になり、座面クッションの表面とほぼ連続した表面を形成し、ある程度顕著な角度、この場合は平坦な角度を形成する。
【００６８】
さらに、レッグレスト４０は、通常の使用状態ではケース３０に固定され、レッグレストは、箱部分３３に収納されている救命胴衣または他の物体を保持する閉鎖パネルの機能を果たす。例えばレッグレストは、ケース３０の前板３２の少なくとも一部を覆い、レッグレストは、自己把持する布テープ３２３によってこの前板に保持される。
【００６９】
図１ｂの座席の一特徴によれば、レッグレストの位置は、この構成にあるケース３０の位置を変化させることで変化し、ケースは、座面２０の構造と一体化して可動式に配置されている。
【００７０】
座面構造体に対するケース２０の位置を制御した方法で変化させるために、このケースは、支持体２４１、２４２を介して座面構造体に直接固定されなくなるが、能動型前方プレート２２ｂと一体化する。
【００７１】
座面の構造体を部分的に分解した図２ｂに示したように、座面の前方プレート２２ｂは、支持プレート３１１、アクチュエータ３１および関節連結アーム３１５を備え、少なくとも１つのアーム、好ましくは２つのアームは、図示した例のようなものである。
【００７２】
図３ｂに、能動型前方プレート２２ｂが切り離され、図２ａ〜図２ｂに示した座面構造体に固定されているときの向きと一致した向きに示されているように、アクチュエータ３１および関節連結アーム３１５は、支持プレート３１１のうち、この支持プレートの下面に固定されている。関節連結しているアームは、支持プレートへの関節連結軸が同一線上にあり、長手垂直平面ＸＺ内でこの関節連結アームが角度を成して動けるように配置され、それによって関節連結アームに固定されたケース３０は、前後に揺れる動きに追従することが可能になる。
【００７３】
好ましくは、関節連結軸は、支持プレート３１１の近辺に位置しているため、関節連結アームは、ケースの上に向かって移動していく振り子の動きと、このケースが前方に向かって移動するときにこのケースの前面を回動させてこの前面を水平に近づける動きを行う。
【００７４】
アクチュエータ３１は、実施例では電動アクチュエータ、例えばギアモータであり、ピストン３１４を例えば図５ｂ、図５ｃに見えているラックレール３１４ａを介して動かすモータを備えて、ケース３０を前方へ回動させてレッグレストを広げるか、後方へ回動させてレッグレストを収納位置の方へ戻す。
【００７５】
座席のこの構成では、ケース３０を座面の固定構造体に直接固定することは排除され、レッグレストなしの座席の場合にこのケースを固定するために使用されるビス３０３は必然的になく、図１ａおよび図１ｂに示した場合のように、支持体２４ａ、２４ｂがレッグレスト付きの座席に残っている場合であっても必然的にない。
【００７６】
前板３２は、複数の固定具箇所からなる第２の副集合を有し、固定具箇所はここでは孔３１２であり、固定具はここでは固定ビス３１３であり、固定具は、箱部分３３が座面クッションの支持面の下でレッグレストの収納位置にくるように、ケース３０を関節連結アーム３１５に固定する。
【００７７】
ケース３０を関節連結アーム３１５に固定するため、第２の副集合の固定具箇所は、この関節連結アームにある装着点、例えばこの関節連結アームのリベットナットまたはねじを切った孔に対応するようにケース３０に位置している。
【００７８】
さらに、関節連結アーム３１５の装着点は、座面構造体の支持体２４１、２４２にある装着点の様々な箇所に位置しているため、第２の副集合の固定具箇所は、第１の副集合の固定具箇所とは別々にケース３０に位置している。
【００７９】
別の特徴として、レッグレストを有する座席に使用する能動型前方プレート２２ｂは、レッグレストなしの座席に使用する受動型前方プレート２２ａと入れ替え可能であり、そのために、座面構造体の同じ固定点を利用するために、この受動型前方プレートにある孔の位置と支持プレート３１１にある孔の位置が同じであることが有利だが、必須ではない。
【００８０】
有利には、図示した例のように、特に図２ａおよび図２ｂからわかるように、能動型前方プレートの支持プレート３１１は、受動型前方プレート２２ａと同じであり、受動型前方プレートとの能動型前方プレートとは、両プレートが装備される付属品および設備によってのみ区別される。
【００８１】
そのため、同じ座席構造では、１つの前方プレートで２つの異なる座席モデルが得られ、図１ａの構成によるレッグレストなしの第１のモデルは、受動型前方プレート２２ａがあり、ケース３０は支持体によって座面構造体に不動に固定され、図１ｂの構成によるレッグレスト付きの第２のモデルは、アクチュエータおよび関節連結アームを有する能動型前方プレート２２ｂがあり、調節可能なレッグレストに対して可動式の支持体としての役割を果たすように、関節連結アームには同じケース３０が固定される。
【００８２】
好ましくは、ケース３０は、レッグレストなしの座席構成で支持体２４１、２４２に固定されているときと、レッグレスト付きの座席構成で関節連結アーム３１５に固定されてレッグレストが収納位置にあるときとで、座面構造体にリンクしている軸系統で同じ位置になる。
【００８３】
この配置の利点は、以下に記載する座席の切り換え方法から明らかになる。
【００８４】
詳細に説明した実施例は、本発明の原理から逸脱しないかぎり変形例の対象となり得る。
【００８５】
特に支持体の形態、使用する固定具の種類および数、ならびにアクチュエータの種類は、説明した例とは異なっていてよい。一般に、座席構造体は、座面の前方プレートを本発明の原理に従って座面の前方部分の下でケースに連結させて取り付けることができるかぎり、実施例で示したものと異なっていてよい。
【００８６】
関節連結アームの運動も同じく、レッグレストの展開時と収納時とでレッグレストに同様の動きをさせることが可能であるかぎり、説明した例のものと異なっていてよい。
【００８７】
一実施形態では、座面構造体は後方プレートを備えず、使用されている受動型または能動型の前方プレートが座面の表面に相当する。
【００８８】
レッグレストの有無によって、座席は、例えばアクチュエータ３１の制御装置３１６にアクセスできるように、副次的要素、例えば外装またはクッションを順応させたものを備えることもでき、この制御装置は、能動型前方プレート２２ｂに固定されることが有利である。
【００８９】
ケース３０は、救命胴衣ケースとして、特に航空機の座席に応用するものとして提示されているが、ケースは、座席使用者がいつでも取り出せるあらゆる製品を収容しておくために使用されてもよいことにも注意されたい。例えば製品は、救命胴衣以外の安全装備であってもよく、製品は、座席使用者の所持品であってもよく、この場合、使用者は箱部分３３を収容箱として使用する。
【００９０】
閉鎖パネルは、レッグレストとして使用されても使用されなくても、この閉鎖パネルを用いて箱部分のケースを開閉できるあらゆる一時的固定手段によって保持できる。
【００９１】
本発明の座席の利点は、レッグレストなしの座席をレッグレスト付きの座席に、またはこの逆に簡易かつ迅速に切り換えられることである。
【００９２】
レッグレストなしの座席をレッグレスト付きの座席に切り換える方法は、以下の工程を含む。
【００９３】
以下の作業は特に本方法に属するものではないが、切り換えを行うために座席は予め準備される。この準備は、例えば、切り換えを行う作業者の快適性および安全性のために座席を作業台に設置すること、座席構造体以外の部分、例えばクッション、カバーパネル、箱部分３３の閉鎖パネル、この箱部分にある救命胴衣を座席から取り外すことであり、一般に座席のあらゆる要素は、切り換え作業の邪魔になるか、この作業時に損傷する可能性がある。
【００９４】
切り換えの第１の工程では、レッグレストなしの座席の受動型前方プレート２２ａを、図１ａに示した例では単に、前方プレートを座面の横架材２３に固定しているビス２２２、図示した例では４つのビスを外した後に取り外す。
【００９５】
切り換えの第２の工程では、アクチュエータ３１および関節連結アーム３１５を備えている能動型前方プレート２２ｂを、受動型前方プレート２２ａを前工程で取り外したことによって空いた場所に設置する。次に、この能動型前方プレートを、有利には受動型前方プレートに用いる点と同じ固定点に、ビスで座面の横架材２３に固定する。
【００９６】
切り換えの第３の工程では、関節連結アーム３１５をケース３０に固定する。ケースは引き続き支持体２４１、２４２によって座面構造体に固定されて保持されている。図１ｂおよび図２ｂの例では、各関節連結アームは、図に見えているように、この関節連結アームのリベットナットまたはねじを切った孔と対向した位置にあるケースの板３２の孔を通る少なくとも１つのビス３１３によって固定される。有利には、特にケースと関節連結アームとを接続する嵌合を良好にするために、このケースの上壁にあり、この関節連結アームのリベットナットまたはねじを切った孔と対向した位置にある、図に見えていない孔を少なくとも１つのビス３１３'が貫通する。
【００９７】
切り換えの第４の工程では、ケース３０を座面構造体の支持体２４１、２４２に固定する固定具、図示した例では４つのビス３２２を外して、関節連結アームがこの関節連結アーム以外の要素との接続がなくなったケースを動かせるようにする。
【００９８】
切り換えの最後の工程では、予備工程で念のために外した座席の要素をレッグレスト付きの座席に切り換えた座席構造体に戻し、箱部分の閉鎖パネルはレッグレスト４０で代用する。
【００９９】
レッグレスト付きの座席をレッグレストなしの座席にする逆の切り換えを行うには、切り換えの際に行った行為を逆にして、以下のように前述した順序の逆に実行する。
−レッグレストの収納位置で、ケース３０を、孔３２１を貫通するビス３２２を用いて座面構造体に固定する。
−ケース３０を関節連結アーム３１５に保持する固定具３１３、３１３'を外して、関節連結アームおよびケースが両者の間で直接固定されて保持されないようにする。
−対応する固定具、図示した例では４つのビス２２２を外し、次に能動型前方プレートを外して、能動型前方プレート２２ｂを座面構造体から分離させる。
−最後に、既定の場所で固定具を交換して、能動型前方プレートによって空いた場所に受動型前方プレート２２ａを座面構造体に固定する。
【０１００】
特定した本方法の工程は、ここでは切り換えのために実施すべき順序での基本工程であるが、ここに明記していない他の工程を含んでいてもよいため、本方法によって、座席を特に効果的な方法で切り換えることができ、特別な工具を使用する必要なく、かつ特定の調節を必要とせずに、いくつかのビス（例では８本または１２本）の取り外しおよび取り付けが可能になる。
【０１０１】
これらの可能性は、座席の特定の設計および座席の構造によって、また、アクチュエータおよび関節連結アームを装備しているまたは装備していない前方プレート限定の切り換え部材一式を使用することで得られる。
【０１０２】
このような切り替え可能な座席の製造費および維持管理費は、有利には、大量生産が増加し運航中に必要な交換部品数が減少した効果によって削減される。
【０１０３】
座席の切り換えにかかる労力および座席を固定する時間も、各座席に対して行う作業数が減少したために軽減され、この結果は、レッグレストのない最も簡易な形態では、座席の質量および費用を犠牲にすることなく達成される。
【符号の説明】
【０１０４】
１０  背もたれ
２０  座面
２１  後方プレート
２２ａ  受動型前方プレート
２２ｂ  能動型前方プレート
２３  横架材
３０  ケース
３１  アクチュエータ
３２  前板
３３  箱部分
４０  レッグレスト
４１  載置面
９０  車両の床
１００  座席の構造体
２２２  ビス
２４１  支持体
２４２  支持体
２４３  リベットナット
３１１  指示プレート
３１２  孔
３１３  固定ビス、固定具
３１３’ビス、固定具
３１４  ピストン
３１４ａ  ラックレール
３１５  関節連結アーム
３１６  制御装置
３２１  孔
３２２  ビス
３２３  布テープ
【図１ａ】
2018196721.tif 000003
【図１ｂ】
2018196721.tif 000004
【図２ａ】
2018196721.tif 000005
【図２ｂ】
2018196721.tif 000006
【図３ａ】
2018196721.tif 000007
【図３ｂ】
2018196721.tif 000008
【図４ａ】
2018196721.tif 000009
【図４ｂ】
2018196721.tif 000010
【図５ａ】
2018196721.tif 000011
【図５ｂ】
2018196721.tif 000012
【図５ｃ】
2018196721.tif 000013
【外国語明細書】
2018196721000001.pdf